(57)【要約】【課題】所定モード時に複数の機能の中でより必要とされる機能を実行できる電子機器、電子機器の制御方法、及びプログラムを提供する。【解決手段】電子機器１は、温度センサ１１と、制御部１２とを備える。制御部１２は、所定モードに遷移したときに温度センサ１１が検出した温度を取得し、温度が温度判定値以上である場合、所定モードに応じた複数の機能を実行し、温度が温度判定値未満である場合、複数の機能の内の一部の機能を実行する。【選択図】図１
2018085557.tif 000002
【特許請求の範囲】
【請求項１】
温度センサと、制御部とを備え、
前記制御部は、
所定モードに遷移したときに前記温度センサが検出した温度を取得し、
前記温度が温度判定値以上である場合、前記所定モードに応じた複数の機能を実行し、
前記温度が温度判定値未満である場合、前記複数の機能の内の一部の機能を実行する、
電子機器。
【請求項２】
前記複数の機能は、モード遷移通知機能、位置情報通知機能、撮像機能、音声発出機能及び点灯機能の少なくとも１つを含み、
前記一部の機能は、前記位置情報通知機能を含む、請求項１に記載の電子機器。
【請求項３】
前記一部の機能に含まれる機能は、前記複数の機能のそれぞれに設定される優先順位に基づいて決定される、請求項１又は２に記載の電子機器。
【請求項４】
バッテリをさらに備え、
前記温度判定値は、前記バッテリの残量、前記バッテリが出力可能な電流量、及び、前記制御部が前記複数の機能を実行することによる消費電力の少なくとも１つに基づいて設定される、請求項１乃至３いずれか一項に記載の電子機器。
【請求項５】
前記所定モードは、非常事態モードである、請求項１乃至４いずれか一項に記載の電子機器。
【請求項６】
所定モードに遷移したときに温度センサが検出した温度を取得し、
前記温度が温度判定値以上である場合、前記所定モードに応じた複数の機能を実行し、
前記温度が温度判定値未満である場合、前記複数の機能の内の一部の機能を実行する、
電子機器の制御方法。
【請求項７】
電子機器に、所定モードに遷移したときに温度センサが検出した温度を取得させ、
前記電子機器に、前記温度が温度判定値以上である場合、前記所定モードに応じた複数の機能を実行させ、
前記電子機器に、前記温度が温度判定値未満である場合、前記複数の機能の内の一部の機能を実行させる、
プログラム。
【発明の詳細な説明】
【技術分野】
【０００１】
本開示は、電子機器、電子機器の制御方法、及びプログラムに関する。
【背景技術】
【０００２】
従来、非常事態発生時にブザーを鳴動させたり、現在位置を外部に通知したりする、複数の防犯機能を備える電子機器が知られている（例えば、特許文献１参照）。
【先行技術文献】
【特許文献】
【０００３】
【特許文献１】特開２０１６−１０５６３０号公報
【発明の概要】
【発明が解決しようとする課題】
【０００４】
電子機器は、所定モード時に、所定モードに応じた複数の機能を実行することがある。電子機器の状態によっては、電子機器は、複数の機能の内の一部の機能しか実行できないおそれがある。複数の機能の中でも、より必要とされる機能が実行されることが求められる。
【０００５】
本開示は、上述の点に鑑みてなされたものであり、所定モード時に複数の機能の中でより必要とされる機能を実行できる電子機器、電子機器の制御方法、及びプログラムを提供することを目的とする。
【課題を解決するための手段】
【０００６】
本開示の一実施形態に係る電子機器は、温度センサと、制御部とを備える。前記制御部は、所定モードに遷移したときに前記温度センサが検出した温度を取得する。前記制御部は、前記温度が温度判定値以上である場合、前記所定モードに応じた複数の機能を実行する。前記制御部は、前記温度が温度判定値未満である場合、前記複数の機能の内の一部の機能を実行する。
【０００７】
本開示の一実施形態に係る電子機器の制御方法は、所定モードに遷移したときに前記温度センサが検出した温度を取得する。前記制御方法は、前記温度が温度判定値以上である場合、前記所定モードに応じた複数の機能を実行する。前記制御方法は、前記温度が温度判定値未満である場合、前記複数の機能の内の一部の機能を実行する。
【０００８】
本開示の一実施形態に係るプログラムは、電子機器に、所定モードに遷移したときに前記温度センサが検出した温度を取得させる。前記プログラムは、前記電子機器に、前記温度が温度判定値以上である場合、前記所定モードに応じた複数の機能を実行させる。前記プログラムは、前記電子機器に、前記温度が温度判定値未満である場合、前記複数の機能の内の一部の機能を実行させる。
【発明の効果】
【０００９】
本開示の一実施形態に係る電子機器、電子機器の制御方法、及びプログラムによれば、所定モード時に複数の機能の中でより必要とされる機能が実行されうる。
【図面の簡単な説明】
【００１０】
【図１】一実施形態に係る電子機器が接続されるネットワークの概略を示す図である。
【図２】一実施形態に係る電子機器の概略構成例を示す機能ブロック図である。
【図３】電子機器が実行する制御内容の一例を示すフローチャートである。
【図４】バッテリ温度が判定値以上の場合の制御例を示すフローチャートである。
【図５】バッテリ温度が判定値未満の場合の制御例を示すフローチャートである。
【発明を実施するための形態】
【００１１】
本実施形態に係る電子機器は、携帯電話、又はスマートフォン等の携帯電子機器であってよい。本実施形態に係る電子機器は、携帯電子機器に限定されるものではない。電子機器は、デスクトップＰＣ（Personal Computer）、ノートＰＣ、タブレット型ＰＣ、家電製品、産業用機器若しくはＦＡ（Factory Automation）機器、又は専用端末等の種々の電子機器であってよい。
【００１２】
図１に示されるように、一実施形態に係る電子機器１は、ネットワーク３に通信可能に接続される。ネットワーク３は、インターネット又はイントラネット等であってよい。ネットワーク３は、セルラ通信網等であってよい。ネットワーク３には、サーバ２が接続されてよい。サーバ２は、電子機器１にデータを送信したり、電子機器１からデータを受信したりしうる。
【００１３】
図２に示されるように、一実施形態に係る電子機器１は、バッテリ１０と、温度センサ１１と、制御部１２とを備える。電子機器１は、通信部２０と、記憶部２１と、表示部２２と、操作部２３と、位置情報取得部２４と、撮像部２５と、報知部２６とをさらに備える。
【００１４】
バッテリ１０は、電子機器１の各構成部に電力を供給する。バッテリ１０は、乾電池又はボタン電池等の一次電池であってよい。バッテリ１０は、ニッケル水素電池又はリチウムイオン電池等の二次電池であってよい。バッテリ１０は、これらに限られず、種々の電池であってよい。バッテリ１０の性能は、例えば、バッテリ１０から出力されうる総電荷量によって評価されてよい。バッテリ１０から出力されうる総電荷量は、バッテリ残量ともいう。バッテリ１０の性能は、バッテリ１０から出力されうる最大電流量によって評価されてよい。バッテリ１０から出力されうる最大電流量は、バッテリ出力ともいう。バッテリ１０が電極と電解液とを含む場合、電解液の温度が低いほど、バッテリ出力が低くなりうる。電解液の温度とバッテリ出力との関係は、バッテリ１０の種類に応じて異なる。
【００１５】
温度センサ１１は、バッテリ１０の周囲、表面又は内部の温度を検出する。バッテリ１０の周囲、表面又は内部の温度は、バッテリ１０に含まれる電解液の温度と相関する。温度センサ１１が検出した温度と、電解液の温度との関係は、バッテリ１０の種類、又は、温度センサ１１の設置位置に応じて異なりうる。温度センサ１１は、熱電対、測温抵抗体、サーミスタ等の種々のセンサであってよい。温度センサ１１は、電子機器１の筐体の内部に設けられてよい。温度センサ１１は、バッテリ１０の近傍に位置する基板上に設けられてよい。温度センサ１１は、バッテリ１０の表面に貼付されてよい。温度センサ１１は、バッテリ１０の内部に組み込まれてよい。
【００１６】
制御部１２は、電子機器１の各構成部の動作を制御し、各構成部に種々の機能を実行させる。制御部１２は、温度センサ１１が検出した温度を取得する。制御部１２は、バッテリ１０からバッテリ残量を取得してよい。制御部１２は、バッテリ１０の端子電圧を取得し、端子電圧に基づいてバッテリ残量を算出してよい。制御部１２は、バッテリ出力を取得してよい。制御部１２は、バッテリ１０からバッテリ出力を取得してよい。制御部１２は、バッテリ１０の種類を取得し、バッテリ１０の種類に基づいてバッテリ出力を算出してよい。制御部１２は、温度センサ１１が検出した温度と端子電圧とに基づいてバッテリ出力を算出してよい。制御部１２は、バッテリ残量又はバッテリ出力等を含む各種情報、又は電子機器１の各構成部を動作させるためのプログラム等を、記憶部２１に格納してよい。
【００１７】
制御部１２は、バッテリ残量が残量下限値未満となった場合に、バッテリ１０が過放電状態とならないように、電子機器１を強制的にシャットダウンする。残量下限値は、バッテリ１０の種類に応じて設定される。制御部１２がバッテリ残量を監視し、バッテリ残量に応じて電子機器１をシャットダウンする動作は、各構成部の動作の制御とは独立して実行される。制御部１２は、各構成部の動作状態にかかわらず、電子機器１をシャットダウンして、バッテリ１０からの電力供給を停止する。
【００１８】
制御部１２は、例えばプロセッサとして構成される。制御部１２は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣを含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部１２は、１つ又は複数のプロセッサが協働するＳｏＣ（System-on-a-Chip）、及びＳｉＰ（System In a Package）のいずれかであってよい。
【００１９】
通信部２０は、アンテナ２０ａを介してネットワーク３に接続され、ネットワーク３との間で、セルラ通信、又は無線ＬＡＮ（Local Area Network）通信等の通信を行う。通信部２０は、通信インタフェースとして、モデム又は無線ＬＡＮデバイス等を備えてよい。通信部２０は、ネットワーク３を経由せずに他の機器と通信できるように構成されてよい。通信部２０は、制御部１２に接続され、ネットワーク側へ出力するデータを制御部１２から取得する。通信部２０は、ネットワーク側から受信したデータを制御部１２に出力する。
【００２０】
記憶部２１は、例えば半導体メモリ等で構成されてよい。記憶部２１は、制御部１２のワークメモリとして機能してよい。記憶部２１は、制御部１２に含まれてよい。
【００２１】
表示部２２は、制御部１２から取得した情報に基づき、文字、画像、操作用オブジェクト、ポインタ等を表示する。表示部２２は、例えば、液晶ディスプレイ、有機ＥＬ（Electroluminescence）ディスプレイ、無機ＥＬディスプレイ等の表示デバイスであるが、これらに限られるものではない。
【００２２】
操作部２３は、電子機器１の利用者による操作入力を受け付ける。操作部２３は、テンキー等の物理キー、タッチパッド、又はタッチパネル等によって構成されてよい。操作部２３は、タッチパネルによって構成される場合、表示部２２と一体に構成されてよい。制御部１２は、操作部２３から取得した入力内容に応じて、表示部２２に表示されるポインタ等を移動させたり、操作用オブジェクトを選択したりしてよい。操作部２３は、ストラップを有してよい。操作部２３は、利用者がストラップを引くことによる操作入力を受け付けてよい。操作部２３は、スライドスイッチを有してよい。操作部２３は、利用者がスライドスイッチをスライドさせることによる操作入力を受け付けてよい。
【００２３】
位置情報取得部２４は、電子機器１の位置情報を取得する。位置情報取得部２４は、ＧＰＳ（Global Positioning System）衛星又はＧＬＯＮＡＳＳ（Global Navigation Satellite System）などの衛星測位システムからの情報に基づいて、電子機器１の位置を特定する装置であってよい。位置情報取得部２４は、セルラ通信又は無線ＬＡＮ通信の電波に基づいて、電子機器１の位置を特定する装置であってよい。位置情報取得部２４は、加速度センサ等の情報に基づいて、電子機器１の位置を特定する装置であってよい。位置情報取得部２４は、これらに限られず、他の種々の方法によって電子機器１の位置を特定する装置であってよい。
【００２４】
撮像部２５は、電子機器１の周囲を撮影し、撮像画像を取得する。撮像部２５は、電子機器１の周囲の風景等を撮影してよい。撮像部２５は、電子機器１を保持している人物、又は、電子機器１の周囲にいる人物等を撮影してよい。撮像部２５は、電子機器１の正面方向、背面方向、又は側面方向等の種々の方向を撮影可能に電子機器１に取り付けられてよい。電子機器１の正面方向は、電子機器１が通常に利用される場合に利用者に対向する方向であってよい。電子機器１の背面方向は、正面方向の反対側の方向である。電子機器１の側面方向は、正面方向及び背面方向と異なる方向である。撮像部２５は、固体撮像素子を備えてよい。固体撮像素子は、ＣＣＤ（Charge-Coupled Device）イメージセンサ又はＣＭＯＳ（Complementary Metal Oxide Semiconductor）イメージセンサ等であってよい。固体撮像素子は、これらに限られず、他の素子であってよい。
【００２５】
報知部２６は、電子機器１の状態を周囲に報知する。報知部２６は、例えば、ＬＥＤ（Light Emission Diode）又はハロゲンランプ等の光源を備えてよい。報知部２６は、光源の点灯又は点滅によって、電子機器１の状態を周囲に報知してよい。報知部２６は、例えば、圧電ブザー若しくは電磁ブザー等のブザー、又は、所定の音声を発するスピーカ等を備えてよい。報知部２６は、ブザーの鳴動若しくは音声の発生等によって、電子機器１の状態を周囲に報知してよい。
【００２６】
制御部１２は、各構成部の消費電力に係る情報を取得する。制御部１２は、消費電力に係る情報を各構成部から予め取得して記憶部２１に格納してよい。制御部１２は、消費電力に係る情報を各構成部から逐次取得してよい。制御部１２は、各構成部が実行する機能毎の消費電力を取得してよい。例えば、制御部１２は、撮像部２５から、取得する撮像画像に応じた消費電力を取得してよい。制御部１２は、報知部２６から、実行する報知手段に応じた消費電力を取得してよい。制御部１２は、各構成部の消費電力に係る情報又は各構成部が実行する機能毎の消費電力をテーブル形式で取得してよい。制御部１２は、各構成部が実行する機能毎の消費電力を予め決定される式に基づいて算出してよい。
【００２７】
本実施形態に係る電子機器１は、例えば図３〜図５に示されるフローチャートの処理手順に沿った制御方法で動作しうる。
【００２８】
制御部１２は、第１のモードで動作する（ステップＳ１１）。第１のモードは、利用者が電子機器１を通常に利用するモードであってよい。
【００２９】
制御部１２は、操作部２３から利用者による操作入力に係る情報を取得する。制御部１２は、利用者によって第１の操作があったか判定する（ステップＳ１２）。第１の操作は、例えば、操作部２３の所定のキーを押下する、又は、所定時間以上長押しする操作であってよい。第１の操作は、操作部２３のタッチパネル又はタッチパッドにおいて、所定位置にタッチしたり、所定方向にスライドしたりする操作であってよい。第１の操作は、操作部２３のストラップを引く操作であってよい。第１の操作は、操作部２３のスライドスイッチをスライドさせる操作であってよい。第１の操作は、これらの操作に限られず、複数の操作の組み合わせであってよいし、他の種々の操作であってよい。第１の操作は、例えば、所定のキーを押下した後に、表示部２２が有するタッチパネルに表示される確認画面にタッチする操作であってよい。操作部２３の所定のキーは、他のキーと比較して、押し込むために必要が力が大きくなるように構成されてよい。
【００３０】
制御部１２は、第１の操作がなかった場合（ステップＳ１２：ＮＯ）、ステップＳ１２の動作を続ける。制御部１２は、第１の操作があった場合（ステップＳ１２：ＹＥＳ）、第２のモードに遷移する（ステップＳ１３）。第２のモードは、利用者が電子機器１を通常とは異なる用途で利用するモードであってよい。第２のモードは、所定モードともいう。制御部１２は、第２のモードに遷移したとき、第２のモードに応じた機能を実行する。第２のモードに応じた機能は、複数の機能を含みうる。
【００３１】
本実施形態において、第２のモードは、利用者が非常事態にあることに対応するモードであり、非常事態を周囲に報知したり、非常事態をネットワーク３経由でサーバ２等に通知したりするモードであると仮定する。利用者が非常事態にあることに対応するモードは、非常事態モードともいう。第２のモードは、これに限られず、例えば、利用者の操作を制限するモードであってよいし、利用者の行動を自動的に記録するモードであってよい。第２のモードは、他の種々のモードであってよい。
【００３２】
制御部１２は、温度センサ１１が検出した温度を判定するための温度判定値を設定する（ステップＳ１４）。温度判定値は、バッテリ残量に基づいて設定されてよい。温度判定値は、バッテリ出力に基づいて設定されてよい。温度判定値は、制御部１２が電子機器１の各構成部に機能を実行させる場合の消費電力に係る情報に基づいて設定されてよい。温度判定値は、バッテリ１０の残量、バッテリ１０が出力可能な電流量、及び、電子機器１の消費電力に係る情報の少なくとも１つに基づいて設定されてよい。制御部１２は、バッテリ１０の残量、バッテリ１０が出力可能な電流量、及び、電子機器１の消費電力に係る情報の少なくとも１つと、温度判定値との関係を示すテーブルに基づいて、温度判定値を設定してよい。温度判定値は、これらに基づいて設定されるだけでなく、他の種々の情報に基づいて設定されてよい。
【００３３】
制御部１２は、温度センサ１１が検出した温度を取得する（ステップＳ１５）。温度センサ１１が検出した温度は、バッテリ温度ともいう。制御部１２は、バッテリ温度が温度判定値未満であるか判定する（ステップＳ１６）。制御部１２は、バッテリ温度が温度判定値以上である場合（ステップＳ１６：ＹＥＳ）、図４のステップＳ２１に進む。制御部１２は、バッテリ温度が温度判定値未満である場合（ステップＳ１６：ＮＯ）、図５のステップＳ３１に進む。
【００３４】
＜バッテリ温度が温度判定値以上である場合＞
制御部１２は、通信部２０を所定の連絡先に接続させる（ステップＳ２１）。所定の連絡先は、例えば、電子機器１の利用者の家族、勤務先又は知人等の関係者が所有する機器を含んでよい。所定の連絡先は、サーバ２を含んでよい。通信部２０は、ネットワーク３を経由して所定の連絡先に接続してよい。通信部２０は、ネットワーク３を経由せずに所定の連絡先に接続してよい。通信部２０は、所定の連絡先が音声通話機能を有する場合、所定の連絡先に対して音声通話の呼び出しを実行してよい。所定の連絡先に接続されることによって、利用者は、制御部１２の動作モードが第２のモードに遷移したことを所定の連絡先に通知しやすくなる。制御部１２は、制御部１２の動作モードが第２のモードに遷移したことを自動的に所定の連絡先に通知してよい。通信部２０が動作モードの遷移を所定の連絡先に通知する機能は、モード遷移通知機能ともいう。モード遷移通知機能は、第２のモードに応じた機能に含まれてよい。モード遷移通知機能によって、利用者は、制御部１２の動作モードが第２のモードに遷移したことを所定の連絡先により確実に通知しうる。
【００３５】
制御部１２は、報知部２６に、制御部１２の動作モードが第２のモードに遷移したことを周囲に報知させる（ステップＳ２２）。第２のモードが非常事態モードである場合、報知部２６は、例えば、ブザーを鳴動させたり、スピーカから音声を出力したりしてよい。報知部２６がブザーを鳴動させたり、スピーカから音声を出力したりする機能は、音声発出機能ともいう。音声発出機能は、第２のモードに応じた機能に含まれてよい。報知部２６は、例えば、光源を点灯したり、光源を所定パターンで点滅させたりしてよい。報知部２６が光源を点灯したり、光源を所定パターンで点滅させたりする機能は、点灯機能ともいう。点灯機能は、第２のモードに応じた機能に含まれてよい。音声発出機能又は点灯機能によって、電子機器１が非常事態モードであることが周囲に効果的に報知されうる。報知部２６は、他の種々の方法によって、制御部１２の動作モードが第２のモードに遷移したことを周囲に報知してよい。
【００３６】
制御部１２は、位置情報取得部２４に電子機器１の位置情報を取得させ、通信部２０に位置情報を送信させる（ステップＳ２３）。通信部２０は、所定の連絡先等に位置情報を通知してよい。通信部２０が所定の連絡先等に位置情報を通知する機能は、位置情報通知機能ともいう。位置情報通知機能は、第２のモードに応じた機能に含まれてよい。位置情報通知機能によって、電子機器１又は電子機器１の利用者に対するアクセスが容易になる。
【００３７】
制御部１２は、撮像部２５に、電子機器１の周囲を撮像させる（ステップＳ２４）。撮像部２５が周囲を撮像する機能は、撮像機能ともいう。撮像機能は、第２のモードに応じた機能に含まれてよい。制御部１２は、位置情報取得部２４が電子機器１の位置情報を取得している間に、撮像部２５に撮像させてよい。制御部１２は、通信部２０が電子機器１の位置情報を送信している間に、撮像部２５に撮像させてよい。撮像部２５は、電子機器１の周囲を撮像して、撮像画像を取得する。撮像部２５は、１枚の撮像画像を取得してよいし、２枚以上の撮像画像を取得してよい。撮像部２５は、電子機器１の複数の方向を撮像できる場合、各方向の撮像画像の枚数を異ならせてよい。例えば、撮像部２５は、電子機器１の正面方向の撮像画像を２枚以上取得し、電子機器１の背面方向の撮像画像を１枚取得してよい。撮像部２５が取得する撮像画像の枚数は、これらに限られない。撮像機能によって、所定の連絡先等において、電子機器１又は電子機器１の利用者の周囲の状況が把握されやすくなる。結果として、電子機器１又は電子機器１の利用者への対応が容易になる。
【００３８】
制御部１２は、通信部２０による位置情報の送信が完了したか判定する（ステップＳ２５）。制御部１２は、位置情報の送信が完了していない場合（ステップＳ２５：ＮＯ）、ステップＳ２５の処理を続ける。
【００３９】
制御部１２は、位置情報の送信が完了した場合（ステップＳ２５：ＹＥＳ）、通信部２０に撮像画像を送信させる（ステップＳ２６）。撮像画像を送信する機能は、第２のモードに応じた機能に含まれてよい。通信部２０は、ネットワーク３を経由してサーバ２又は所定の連絡先等に撮像画像を送信してよい。
【００４０】
制御部１２は、操作部２３から利用者による操作入力に係る情報を取得する。制御部１２は、利用者によって第２の操作があったか判定する（ステップＳ２７）。第２の操作は、例えば、操作部２３の所定のキーを押下する、又は、所定時間以上長押しする操作であってよい。第２の操作は、操作部２３のタッチパネル又はタッチパッドにおいて、所定位置にタッチしたり、所定方向にスライドしたりする操作であってよい。第２の操作は、第１の操作によって引かれた操作部２３のストラップを元に戻す操作であってよい。第２の操作は、第１の操作でスライドされた操作部２３のスライドスイッチを元に戻す操作であってよい。第２の操作は、これらの操作に限られず、複数の操作の組み合わせであってよいし、他の種々の操作であってよい。
【００４１】
制御部１２は、第２の操作がなかった場合（ステップＳ２７：ＮＯ）、ステップＳ２７の動作を続ける。制御部１２は、第２の操作があった場合（ステップＳ２７：ＹＥＳ）、ステップＳ２１で開始した周囲への報知と、ステップＳ２２で開始した所定の連絡先への接続を終了する（ステップＳ２８）。制御部１２は、第１のモードに遷移し（ステップＳ２９）、図４のフローチャートの処理を終了する。
【００４２】
＜バッテリ温度が温度判定値未満である場合＞
制御部１２は、図５のステップＳ３１、Ｓ３２及びＳ３３を実行する。ステップＳ３１、Ｓ３２及びＳ３３はそれぞれ、図４のステップＳ２１、Ｓ２２及びＳ２３と同様である。
【００４３】
制御部１２は、バッテリ温度が温度判定値未満である場合、図４のステップＳ２４とは異なり、撮像機能を実行しない。制御部１２は、ステップＳ３３に続いて、図４のステップＳ２５と同様のステップＳ３４を実行する。
【００４４】
制御部１２は、撮像画像を取得しないので、図４のステップＳ２６とは異なり、通信部２０によって撮像画像を送信する機能を実行しない。制御部１２は、ステップＳ３４に続いて、図４のステップＳ２７〜Ｓ２９と同様のステップＳ３５〜Ｓ３７を実行する。
【００４５】
以上説明してきたように、本実施形態に係る電子機器１は、バッテリ温度が温度判定値以上であるか否かに応じて、実行する機能を異ならせる。バッテリ温度が温度判定値未満である場合、バッテリ残量が急激に減少することがある。例えば、撮像機能は、電力を比較的多く消費しうる。撮像機能を含む第２のモードに応じた機能を全て実行しようとした場合、撮像機能の実行によってバッテリ残量が急激に減少しうる。バッテリ残量が残量下限値未満になった場合、制御部１２は、電子機器１を強制的にシャットダウンする。電子機器１がシャットダウンされた場合、撮像機能の実行が完了しなかったり、位置情報通知機能が全く実行されなかったりすることがある。
【００４６】
利用者が非常事態モードを発動させた場合、利用者をサポート又は救援するために、電子機器１の位置情報がより必要とされうる。本実施形態に係る電子機器１において、バッテリ温度が温度判定値未満である場合、制御部１２は、第２のモードに応じた機能を一部に限定して実行する。例えば、制御部１２は、図５に示される処理のように、撮像機能を実行せず、撮像機能以外の機能に限定して実行しうる。制御部１２は、撮像機能以外の機能に限定することによって、位置情報通知機能を実行しうる。結果として、複数の機能の中でより必要とされる機能が実行されうる。
【００４７】
制御部１２は、第１のモード及び第２のモードに限られず、他のモードで動作してよい。制御部１２は、第２のモード以外のモードから第２のモードに遷移したときに、第２のモードに応じた複数の機能を実行する。制御部１２は、第２の操作があった場合に、第２のモードから第１のモードに遷移するだけでなく、他のモードに遷移してよい。
【００４８】
電子機器１がシャットダウンされている場合、又は、電子機器１の電源が入っていない場合、制御部１２は、シャットダウンモードの状態であるといえる。制御部１２は、シャットダウンモードであっても、第１の操作があったことに応じて、電子機器１を起動し、第２のモードで動作してよい。この場合、制御部１２は、シャットダウンモードから第２のモードに遷移するといえ、第２のモードに応じた複数の機能を実行する。制御部１２がシャットダウンモードである場合、第１の操作は、操作部２３のストラップを引く操作であってよい。第１の操作は、操作部２３のスライドスイッチをスライドさせる操作であってよい。第１の操作は、操作部２３の所定のキーを押下する、又は、所定時間以上長押しする操作であってよい。
【００４９】
第２のモードに応じた機能に含まれる各機能には、優先順位が設定されてよい。
【００５０】
例えば第２のモードが非常事態モードであると仮定する。この場合、所定の連絡先に非常事態モードを通知するためのモード遷移通知機能に、高い優先順位が設定されてよい。所定の連絡先等に利用者の現在位置を通知するための位置情報通知機能に、高い優先順位が設定されてよい。周囲に非常事態モードを報知するための音声発出機能又は点灯機能に、高い優先順位が設定されてよい。撮像機能には、比較的低い優先順位が設定されてよい。
【００５１】
例えば第２のモードが利用者の行動を自動的に記録するモードであると仮定する。この場合、サーバ２等に電子機器１の現在位置を通知するための位置情報通知機能に、高い優先順位が設定されてよい。
【００５２】
撮像部２５が撮像画像を多く取得するほど、撮像部２５の消費電力が増大しうる。制御部１２は、バッテリ残量又はバッテリ出力に応じて、撮像部２５に取得させる撮像画像の枚数を決定してよい。制御部１２は、例えば、バッテリ残量が少ない場合に、撮像画像の枚数を減らしてよい。制御部１２は、例えば、バッテリ出力が小さい場合に、撮像画像の枚数を減らしてよい。制御部１２は、例えば、所定モードに遷移したときに温度センサ１１が検出した温度が温度判定値以上である場合、第１の枚数の撮像画像を撮像部２５に取得させてよい。制御部１２は、例えば、温度センサ１１が検出した温度が温度判定値未満である場合、第１の枚数よりも少ない第２の枚数の撮像画像を撮像部２５に取得させてよい。
【００５３】
図４のステップＳ２３又は図５のステップＳ３３において、所定時間以上にわたって位置情報が取得されないことがある。制御部１２は、所定時間以内に位置情報を取得できない場合、ステップＳ２５又はステップＳ３４における位置情報の送信完了の判定をせずに、ステップＳ２６又はステップＳ３５に進んでよい。
【００５４】
サーバ２は、電子機器１の利用者が契約するサービスの提供元によって管理されると仮定する。利用者が契約するサービスは、例えば、利用者の安全の確保を図る防犯サービス、又は、電子機器１の位置を追跡する追跡サービス等の種々のサービスであってよい。本実施形態に係る電子機器１は、これらのサービスを契約していない利用者によっても利用されうる。
【００５５】
サーバ２は、電子機器１から、制御部１２の動作モードが第２のモードに遷移したことを通知された場合、サービスの提供元に対して、通知に応じて対応するように指示してよい。例えば第２のモードが非常事態モードである場合、サーバ２は、例えば電子機器１の位置情報に基づいて、電子機器１の現在位置に係員を派遣すること等を、サービスの提供元に対して指示してよい。サーバ２は、例えば電子機器１から取得した撮像画像に基づいて、電子機器１の現在位置の周囲の状況を推定してよい。サーバ２は、電子機器１の現在位置の周囲の状況に応じた対応を、サービスの提供元に対して指示してよい。
【００５６】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものであり、本開示の範囲にはこれらも包含されるものと理解されたい。
【００５７】
本開示において「第１」及び「第２」等の記載は、当該構成を区別するための識別子である。本開示における「第１」及び「第２」等の記載で区別された構成は、当該構成における番号を交換することができる。例えば、第１のモードは、第２のモードと識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００５８】
１  電子機器
２  サーバ
３  ネットワーク
１０  バッテリ
１１  温度センサ
１２  制御部
２０  通信部
２０ａ  アンテナ
２１  記憶部
２２  表示部
２３  操作部
２４  位置情報取得部
２５  撮像部
２６  報知部
【図１】
2018085557.tif 000003
【図２】
2018085557.tif 000004
【図３】
2018085557.tif 000005
【図４】
2018085557.tif 000006
【図５】
2018085557.tif 000007
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
温度センサと、制御部と、バッテリとを備え、
前記制御部は、
所定モードに遷移したときに前記温度センサが検出した温度を取得し、
前記温度が温度判定値以上である場合、前記所定モードに応じた複数の機能を実行し、
前記温度が温度判定値未満である場合、前記複数の機能の内の一部の機能を実行し、
前記温度判定値は、前記バッテリの残量、前記バッテリが出力可能な電流量、及び、前記制御部が前記複数の機能を実行することによる消費電力の少なくとも１つに基づいて設定される、電子機器。
【請求項２】
前記複数の機能は、モード遷移通知機能、位置情報通知機能、撮像機能、音声発出機能及び点灯機能の少なくとも１つを含み、
前記一部の機能は、前記位置情報通知機能を含む、請求項１に記載の電子機器。
【請求項３】
前記一部の機能に含まれる機能は、前記複数の機能のそれぞれに設定される優先順位に基づいて決定される、請求項１又は２に記載の電子機器。
【請求項４】
前記所定モードは、非常事態モードである、請求項１乃至３いずれか一項に記載の電子機器。
【請求項５】
温度センサとバッテリとを備える電子機器が、所定モードに遷移したときに前記温度センサが検出した温度を取得し、
前記電子機器が、前記バッテリの残量、前記バッテリが出力可能な電流量、及び、前記電子機器が前記所定モードに応じた複数の機能を実行することによる消費電力の少なくとも１つに基づいて温度判定値を設定し、
前記温度が前記温度判定値以上である場合、前記電子機器が前記所定モードに応じた複数の機能を実行し、
前記温度が前記温度判定値未満である場合、前記電子機器が前記複数の機能の内の一部の機能を実行する、電子機器の制御方法。
【請求項６】
温度センサとバッテリとを備える電子機器に、所定モードに遷移したときに前記温度センサが検出した温度を取得させ、
前記電子機器に、前記バッテリの残量、前記バッテリが出力可能な電流量、及び、前記電子機器が前記所定モードに応じた複数の機能を実行することによる消費電力の少なくとも１つに基づいて温度判定値を設定させ、
前記電子機器に、前記温度が前記温度判定値以上である場合、前記所定モードに応じた複数の機能を実行させ、
前記電子機器に、前記温度が前記温度判定値未満である場合、前記複数の機能の内の一部の機能を実行させる、
プログラム。
【手続補正２】
【補正対象書類名】明細書
【補正対象項目名】０００６
【補正方法】変更
【補正の内容】
【０００６】
本開示の一実施形態に係る電子機器は、温度センサと、制御部と、バッテリとを備える。前記制御部は、所定モードに遷移したときに前記温度センサが検出した温度を取得する。前記制御部は、前記温度が温度判定値以上である場合、前記所定モードに応じた複数の機能を実行する。前記制御部は、前記温度が温度判定値未満である場合、前記複数の機能の内の一部の機能を実行する。前記温度判定値は、前記バッテリの残量、前記バッテリが出力可能な電流量、及び、前記制御部が前記複数の機能を実行することによる消費電力の少なくとも１つに基づいて設定される。
【手続補正３】
【補正対象書類名】明細書
【補正対象項目名】０００７
【補正方法】変更
【補正の内容】
【０００７】
本開示の一実施形態に係る電子機器の制御方法において、温度センサとバッテリとを備える電子機器が、所定モードに遷移したときに前記温度センサが検出した温度を取得する。前記制御方法において、前記電子機器が前記バッテリの残量、前記バッテリが出力可能な電流量、及び、前記電子機器が前記所定モードに応じた複数の機能を実行することによる消費電力の少なくとも１つに基づいて温度判定値を設定する。前記制御方法において、前記電子機器が、前記温度が前記温度判定値以上である場合、前記所定モードに応じた複数の機能を実行する。前記制御方法において、前記電子機器が、前記温度が前記温度判定値未満である場合、前記複数の機能の内の一部の機能を実行する。
【手続補正４】
【補正対象書類名】明細書
【補正対象項目名】０００８
【補正方法】変更
【補正の内容】
【０００８】
本開示の一実施形態に係るプログラムは、温度センサとバッテリとを備える電子機器に、所定モードに遷移したときに前記温度センサが検出した温度を取得させる。前記プログラムは、前記電子機器に、前記バッテリの残量、前記バッテリが出力可能な電流量、及び、前記電子機器が前記所定モードに応じた複数の機能を実行することによる消費電力の少なくとも１つに基づいて温度判定値を設定させる。前記プログラムは、前記電子機器に、前記温度が前記温度判定値以上である場合、前記所定モードに応じた複数の機能を実行させる。前記プログラムは、前記電子機器に、前記温度が前記温度判定値未満である場合、前記複数の機能の内の一部の機能を実行させる。